【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
第１のビューの第１のアクセス単位中でビデオデータの第１の符号化ブロックを受信することと、ここにおいて、ビデオデータの前記第１の符号化ブロックが、高度残差予測と双方向予測とを使用して符号化され、前記双方向予測が、第１の予測方向のための時間的予測と第２の予測方向のためのビュー間予測とを含み、ここにおいて、前記高度残差予測が、残差予測子ブロックの残差に対してビデオデータの前記第１の符号化ブロックの残差の予測を実行することを含み、
ビデオデータの前記第１の符号化ブロックのための前記第１の予測方向についての第１の時間動き情報を決定することと、
前記第１の予測方向についての前記第１の時間動き情報を使用して、前記第１の予測方向のための第１の時間参照ブロックを識別することと、ここにおいて、前記第１の時間参照ブロックが、前記第１のビュー中及び第２のアクセス単位中にあり、前記第２のアクセス単位が、前記第１のアクセス単位とは異なっており、
ビデオデータの前記第１の符号化ブロックのための前記第１の予測方向のための視差ベクトルを導出することと、
前記第１の予測方向のための前記視差ベクトルを使用して、第１のビュー間参照ブロックを識別することと、ここにおいて、前記第１のビュー間参照ブロックが、第２のビュー中にあり、前記第２のビューが、前記第１のビューとは異なっており、
前記第１のビュー間参照ブロックと、前記第１の予測方向についての前記第１の時間動き情報とを使用して、第２のビュー間参照ブロックを識別することと、ここで、前記第２のビュー間参照ブロックが、前記第２のビュー中にあり、
前記第１のビュー間参照ブロックと前記第２のビュー間参照ブロックとから第１の残差予測子ブロックを決定することと、
ビデオデータの前記第１の符号化ブロックのための前記第２の予測方向についての第１の視差動き情報を決定することと、
前記第１の予測方向についての前記第１の時間動き情報を使用して、前記第２の予測方向のための第２の時間参照ブロックを識別することと、ここにおいて、前記第２の時間参照ブロックが、前記第１の時間参照ブロックと同じであり、
前記第２の予測方向についての前記第１の視差動き情報を使用して、第３のビュー間参照ブロックを識別することと、ここにおいて、前記第３のビュー間参照ブロックが、前記第２のビュー中にあり、
前記第３のビュー間参照ブロックと、前記第１の予測方向についての前記第１の時間動き情報とを使用して、第４のビュー間参照ブロックを識別することと、ここで、前記第２のビュー間参照ブロックが、前記第２のビュー中にあり、
前記第３のビュー間参照ブロックと前記第４のビュー間参照ブロックとから第２の残差予測子ブロックを決定することと、
前記第１の時間参照ブロック、前記第２の時間参照ブロック、前記第１の残差予測子ブロック及び前記第２の残差予測子ブロックを使用してビデオデータの前記第１の符号化ブロックに対して高度残差予測を実行することと
を備える方法。
【請求項２】
前記方法が、
残差ビデオデータを生成するために、ブロックレベルの高度残差予測又は予測単位レベルの高度残差予測のうちの１つを使用してビデオデータの前記第１の符号化ブロックを復号することと、
ビデオデータの復号ブロックを生成するために、双方向予測と、前記第１の予測方向のための前記第１の時間参照ブロックと、前記第２の予測方向のための前記第２の時間参照ブロックとを使用して前記残差データを復号することと
を更に備える、請求項１に記載の方法。
【請求項３】
ビデオデータを復号するように構成された装置であって、
第１のビューの第１のアクセス単位中でビデオデータの第１の符号化ブロックを記憶することを行うように構成されたビデオデータメモリと、ここにおいて、ビデオデータの前記第１の符号化ブロックが、高度残差予測と双方向予測とを使用して符号化され、前記双方向予測が、第１の予測方向のための時間的予測と第２の予測方向のためのビュー間予測とを含み、ここにおいて、前記高度残差予測が、残差予測子ブロックの残差に対してビデオデータの前記第１の符号化ブロックの残差の予測を実行することを含み、
前記ビデオデータメモリと通信しており、
ビデオデータの前記第１の符号化ブロックのための前記第１の予測方向についての第１の時間動き情報を決定することと、
前記第１の予測方向についての前記第１の時間動き情報を使用して、前記第１の予測方向のための第１の時間参照ブロックを識別することと、ここにおいて、前記第１の時間参照ブロックが、前記第１のビュー中及び第２のアクセス単位中にあり、前記第２のアクセス単位が、前記第１のアクセス単位とは異なっており、
ビデオデータの前記第１の符号化ブロックのための前記第１の予測方向のための視差ベクトルを導出することと、
前記第１の予測方向のための前記視差ベクトルを使用して、第１のビュー間参照ブロックを識別することと、ここにおいて、前記第１のビュー間参照ブロックが、第２のビュー中にあり、前記第２のビューが、前記第１のビューとは異なっており、
前記第１のビュー間参照ブロックと、前記第１の予測方向についての前記第１の時間動き情報とを使用して、第２のビュー間参照ブロックを識別することと、ここで、前記第２のビュー間参照ブロックが、前記第２のビュー中にあり、
前記第１のビュー間参照ブロックと前記第２のビュー間参照ブロックとから第１の残差予測子ブロックを決定することと、
ビデオデータの前記第１の符号化ブロックのための前記第２の予測方向についての第１の視差動き情報を決定することと、
前記第１の予測方向についての前記第１の時間動き情報を使用して、前記第２の予測方向のための第２の時間参照ブロックを識別することと、ここにおいて、前記第２の時間参照ブロックが、前記第１の時間参照ブロックと同じであり、
前記第２の予測方向についての前記第１の視差動き情報を使用して、第３のビュー間参照ブロックを識別することと、ここにおいて、前記第３のビュー間参照ブロックが、前記第２のビュー中にあり、
前記第３のビュー間参照ブロックと、前記第１の予測方向についての前記第１の時間動き情報とを使用して、第４のビュー間参照ブロックを識別することと、ここで、前記第２のビュー間参照ブロックが、前記第２のビュー中にあり、
前記第３のビュー間参照ブロックと前記第４のビュー間参照ブロックとから第２の残差予測子ブロックを決定することと、
前記第１の時間参照ブロック、前記第２の時間参照ブロック、前記第１の残差予測子ブロック、及び前記第２の残差予測子ブロックを使用してビデオデータの前記第１の符号化ブロックに対して高度残差予測を実行することと
を行うように構成された１つ以上のプロセッサと
を備える、装置。
【請求項４】
前記１つ以上のプロセッサが、
残差ビデオデータを生成するために、ブロックレベルの高度残差予測又は予測単位レベルの高度残差予測のうちの１つを使用してビデオデータの前記第１の符号化ブロックを復号することと、
ビデオデータの復号ブロックを生成するために、双方向予測と、前記第１の予測方向のための前記第１の時間参照ブロックと、前記第２の予測方向のための前記第２の時間参照ブロックとを使用して前記残差データを復号することと
を行うように更に構成された、請求項３に記載の装置。
【請求項５】
ビデオデータの前記復号ブロックを表示するように構成された表示器
を更に備える、請求項４に記載の装置。
【請求項６】
前記ビデオデータメモリと前記１つ以上のプロセッサとが、デスクトップコンピュータ、ノートブックコンピュータ、ラップトップコンピュータ、セットトップボックス、電話ハンドセット、スマートフォン、スマートパッド、タブレットコンピュータ、テレビジョン、カメラ、デジタルメディアプレーヤ、ビデオゲームコンソール、又はビデオストリーミング機器のうちの１つ内に格納される、請求項３に記載の装置。
【請求項７】
ビデオデータを復号するように構成された装置であって、
第１のビューの第１のアクセス単位中でビデオデータの第１の符号化ブロックを受信するための手段と、ここにおいて、ビデオデータの前記第１の符号化ブロックが、高度残差予測と双方向予測とを使用して符号化され、前記双方向予測が、第１の予測方向のための時間的予測と第２の予測方向のためのビュー間予測とを含み、ここにおいて、前記高度残差予測が、残差予測子ブロックの残差に対してビデオデータの前記第１の符号化ブロックの残差の予測を実行することを含み、
ビデオデータの前記第１の符号化ブロックのための前記第１の予測方向についての第１の時間動き情報を決定するための手段と、
前記第１の予測方向についての前記第１の時間動き情報を使用して、前記第１の予測方向のための第１の時間参照ブロックを識別するための手段と、ここにおいて、前記第１の時間参照ブロックが、前記第１のビュー及び第２のアクセス単位中にあり、前記第２のアクセス単位が、前記第１のアクセス単位とは異なっており、
ビデオデータの前記第１の符号化ブロックのための前記第１の予測方向のための視差ベクトルを導出するための手段と、
前記第１の予測方向のための前記視差ベクトルを使用して、第１のビュー間参照ブロックを識別するための手段と、ここにおいて、前記第１のビュー間参照ブロックが、第２のビュー中にあり、前記第２のビューが、前記第１のビューとは異なっており、
前記第１のビュー間参照ブロックと、前記第１の予測方向についての前記第１の時間動き情報とを使用して、第２のビュー間参照ブロックを識別するための手段と、ここで、前記第２のビュー間参照ブロックが、前記第２のビュー中にあり、
前記第１のビュー間参照ブロックと前記第２のビュー間参照ブロックとから第１の残差予測子ブロックを決定するための手段と、
ビデオデータの前記第１の符号化ブロックのための前記第２の予測方向についての第１の視差動き情報を決定するための手段と、
前記第１の予測方向についての前記第１の時間動き情報を使用して、前記第２の予測方向のための第２の時間参照ブロックを識別するための手段と、ここにおいて、前記第２の時間参照ブロックが、前記第１の時間参照ブロックと同じであり、
前記第２の予測方向についての前記第１の視差動き情報を使用して、第３のビュー間参照ブロックを識別するための手段と、ここにおいて、前記第３のビュー間参照ブロックが、前記第２のビュー中にあり、
前記第３のビュー間参照ブロックと、前記第１の予測方向についての前記第１の時間動き情報とを使用して、第４のビュー間参照ブロックを識別するための手段と、ここで、前記第２のビュー間参照ブロックが、前記第２のビュー中にあり、
前記第３のビュー間参照ブロックと前記第４のビュー間参照ブロックとから第２の残差予測子ブロックを決定するための手段と、
前記第１の時間参照ブロック、前記第２の時間参照ブロック、前記第１の残差予測子ブロック、及び前記第２の残差予測子ブロックを使用してビデオデータの前記第１の符号化ブロックに対して高度残差予測を実行するための手段と
を備える、装置。
【請求項８】
ビデオデータの前記第１の符号化ブロックを復号するための前記手段が、
残差ビデオデータを生成するために、ブロックレベルの高度残差予測又は予測単位レベルの高度残差予測のうちの１つを使用してビデオデータの前記第１の符号化ブロックを復号するための手段と、
ビデオデータの復号ブロックを生成するために、双方向予測と、前記第１の予測方向のための前記第１の時間参照ブロックと、前記第２の予測方向のための前記第２の時間参照ブロックとを使用して前記残差データを復号するための手段と
を備える、請求項７に記載の装置。
【請求項９】
実行されたとき、ビデオデータを復号するように構成された機器の１つ以上のプロセッサに、
第１のビューの第１のアクセス単位中でビデオデータの第１の符号化ブロックを受信することと、ここにおいて、ビデオデータの前記第１の符号化ブロックが、高度残差予測と双方向予測とを使用して符号化され、前記双方向予測が、第１の予測方向のための時間的予測と第２の予測方向のためのビュー間予測とを含み、ここにおいて、前記高度残差予測が、残差予測子ブロックの残差に対してビデオデータの前記第１の符号化ブロックの残差の予測を実行することを含み、
ビデオデータの前記第１の符号化ブロックのための前記第１の予測方向についての第１の時間動き情報を決定することと、
前記第１の予測方向についての前記第１の時間動き情報を使用して、前記第１の予測方向のための第１の時間参照ブロックを識別することと、ここにおいて、前記第１の時間参照ブロックが、前記第１のビュー中及び第２のアクセス単位中にあり、前記第２のアクセス単位が、前記第１のアクセス単位とは異なっており、
ビデオデータの前記第１の符号化ブロックのための前記第１の予測方向のための視差ベクトルを導出することと、
前記第１の予測方向のための前記視差ベクトルを使用して、第１のビュー間参照ブロックを識別することと、ここにおいて、前記第１のビュー間参照ブロックが、第２のビュー中にあり、前記第２のビューが、前記第１のビューとは異なっており、
前記第１のビュー間参照ブロックと、前記第１の予測方向についての前記第１の時間動き情報とを使用して、第２のビュー間参照ブロックを識別することと、ここで、前記第２のビュー間参照ブロックが、前記第２のビュー中にあり、
前記第１のビュー間参照ブロックと前記第２のビュー間参照ブロックとから第１の残差予測子ブロックを決定することと、
ビデオデータの前記第１の符号化ブロックのための前記第２の予測方向についての第１の視差動き情報を決定することと、
前記第１の予測方向についての前記第１の時間動き情報を使用して、前記第２の予測方向のための第２の時間参照ブロックを識別することと、ここにおいて、前記第２の時間参照ブロックが、前記第１の時間参照ブロックと同じであり、
前記第２の予測方向についての前記第１の視差動き情報を使用して、第３のビュー間参照ブロックを識別することと、ここにおいて、前記第３のビュー間参照ブロックが、前記第２のビュー中にあり、
前記第３のビュー間参照ブロックと、前記第１の予測方向についての前記第１の時間動き情報とを使用して、第４のビュー間参照ブロックを識別することと、ここで、前記第２のビュー間参照ブロックが、前記第２のビュー中にあり、
前記第３のビュー間参照ブロックと前記第４のビュー間参照ブロックとから第２の残差予測子ブロックを決定することと、
前記第１の時間参照ブロック、前記第２の時間参照ブロック、前記第１の残差予測子ブロック、及び前記第２の残差予測子ブロックを使用してビデオデータの前記第１の符号化ブロックに対して高度残差予測を実行することと
を行わせる命令を記憶した、コンピュータ可読記憶媒体。
【請求項１０】
前記命令が、前記１つ以上のプロセッサに、
残差ビデオデータを生成するために、ブロックレベルの高度残差予測又は予測単位レベルの高度残差予測のうちの１つを使用してビデオデータの前記第１の符号化ブロックを復号することと、
ビデオデータの復号ブロックを生成するために、双方向予測と、前記第１の予測方向のための前記第１の時間参照ブロックと、前記第２の予測方向のための前記第２の時間参照ブロックとを使用して前記残差データを復号することと
を更に行わせる、請求項９に記載のコンピュータ可読記憶媒体。
【請求項１１】
ピクチャ順序カウント値に基づいて前記第１の時間動き情報をスケーリングすること
を更に備える、請求項１に記載の方法。
【請求項１２】
第３のビューの第３のアクセス単位中でビデオデータの第２の符号化ブロックを受信することと、ここにおいて、ビデオデータの前記第２の符号化ブロックが、高度残差予測と双方向予測とを使用して符号化され、前記双方向予測が、第３の予測方向のためのビュー間予測と第４の予測方向のための時間的予測とを含み、
ビデオデータの前記第２の符号化ブロックのための前記第３の予測方向についての第２の視差動き情報を決定することと、
前記第３の予測方向についての前記第２の視差動き情報を使用して、前記第３の予測方向のための第５のビュー間参照ブロックを識別することと、ここにおいて、前記第５のビュー間参照ブロックが、第４のビュー中にあり、前記第４のビューが、前記第３のビューとは異なっており、
ビデオデータの前記第２の符号化ブロックのための前記第３の予測方向のための前記第５のビュー間参照ブロックからの動きベクトルを導出することと、
前記第３の予測方向のための前記動きベクトルを使用して、第３の時間参照ブロックを識別することと、
前記第５のビュー間参照ブロックと前記第１の予測方向のための前記動きベクトルとを使用して、第６のビュー間参照ブロックを識別することと、
前記第５のビュー間参照ブロックと前記第６のビュー間参照ブロックとから第３の残差予測子ブロックを決定することと、
ビデオデータの前記第２の符号化ブロックのための前記第４の予測方向についての第２の時間動き情報を決定することと、
前記第４の予測方向についての前記第２の時間動き情報を使用して、前記第４の予測方向のための第４の時間参照ブロックを識別することと、
前記第３の予測方向についての前記第２の視差動き情報を使用して、第７のビュー間参照ブロックを識別することと、ここにおいて、前記第７のビュー間参照ブロックが、前記第５のビュー間参照ブロックと同じであり、
前記第７のビュー間参照ブロックと、前記第４の予測方向についての前記第２の時間動き情報とを使用して、第８のビュー間参照ブロックを識別することと、
前記第７のビュー間参照ブロックと前記第８のビュー間参照ブロックとから第４の残差予測子ブロックを決定することと、
前記第３の時間参照ブロック、前記第４の時間参照ブロック、前記第３の残差予測子ブロック及び前記第４の残差予測子ブロックを使用してビデオデータの前記第２の符号化ブロックに対して高度残差予測を実行することと、
を更に備える、請求項１に記載の方法。
【請求項１３】
前記１つ以上のプロセッサが、
ピクチャ順序カウント値に基づいて前記第１の時間動き情報をスケーリングすること
を行うように更に構成された、請求項３に記載の装置。
【請求項１４】
前記１つ以上のプロセッサが、
第３のビューの第３のアクセス単位中でビデオデータの第２の符号化ブロックを受信することと、ここにおいて、ビデオデータの前記第２の符号化ブロックが、高度残差予測と双方向予測とを使用して符号化され、前記双方向予測が、第３の予測方向のためのビュー間予測と第４の予測方向のための時間的予測とを含み、
ビデオデータの前記第２の符号化ブロックのための前記第３の予測方向についての第２の視差動き情報を決定することと、
前記第３の予測方向についての前記第２の視差動き情報を使用して、前記第３の予測方向のための第５のビュー間参照ブロックを識別することと、ここにおいて、前記第５のビュー間参照ブロックが、第４のビュー中にあり、前記第４のビューが、前記第３のビューとは異なっており、
ビデオデータの前記第２の符号化ブロックのための前記第３の予測方向のための前記第５のビュー間参照ブロックからの動きベクトルを導出することと、
前記第３の予測方向のための前記動きベクトルを使用して、第３の時間参照ブロックを識別することと、
前記第５のビュー間参照ブロックと前記第１の予測方向のための前記動きベクトルとを使用して、第６のビュー間参照ブロックを識別することと、
前記第５のビュー間参照ブロックと前記第６のビュー間参照ブロックとから第３の残差予測子ブロックを決定することと、
ビデオデータの前記第２の符号化ブロックのための前記第４の予測方向についての第２の時間動き情報を決定することと、
前記第４の予測方向についての前記第２の時間動き情報を使用して、前記第４の予測方向のための第４の時間参照ブロックを識別することと、
前記第３の予測方向についての前記第２の視差動き情報を使用して、第７のビュー間参照ブロックを識別することと、ここにおいて、前記第７のビュー間参照ブロックが、前記第５のビュー間参照ブロックと同じであり、
前記第７のビュー間参照ブロックと、前記第４の予測方向についての前記第２の時間動き情報とを使用して、第８のビュー間参照ブロックを識別することと、
前記第７のビュー間参照ブロックと前記第８のビュー間参照ブロックとから第４の残差予測子ブロックを決定することと、
前記第３の時間参照ブロック、前記第４の時間参照ブロック、前記第３の残差予測子ブロック及び前記第４の残差予測子ブロックを使用してビデオデータの前記第２の符号化ブロックに対して高度残差予測を実行することと、
を行うように更に構成された、請求項３に記載の装置。